(57)【要約】      （修正有）【課題】掃除機のヘッドに具備された回転ブラシに絡んだ塵、髪の毛など糸状の塵を除去し、さらにサイクロン式掃除機の奥深いところにあるサイクロン室のフィルターの目に詰まった微細な塵を容易に取り除くことができる爪部構造を有する掃除機の塵除去器具を提供する。【解決手段】ホルダー１０に塵を掻き取る爪部２０を設け、爪部２０とは該ホルダー１０の対抗面に設けた取手１２と、該取手１２の先端部に回転支点軸１３を持つアーム１４と、該アーム１４の他端に設けた２本の可動爪２２から成る。そして、該爪部２０の左右端に設けたそれぞれ２本の固定爪２１はホルダー１０に固定され、さらに可動爪２２は、該爪部２０の中央部に収納され、該固定爪２１と可動爪２２は並列に設けられている。【選択図】図１
2018051276.tif 000002
【特許請求の範囲】
【請求項１】
複数の掻き取り爪を有した爪部を備えたホルダーと、
該ホルダーは該爪部と概ね対抗位置に取手を具備した掃除機の塵除去器具において、
該ホルダーに固定された少なくとも２本以上の爪と、
該取手の端部に回転支点を持ち、回動可能なアームと、
該アームの該回転支点と反対端面に取り付けられた少なくとも１本以上の爪と、
該アームは、折り畳まれて該ホルダーに収納され、
該アーム端に設けられた爪部と該ホルダーに固定された爪部とは並列して配置された構造であることを特徴とした掃除機ヘッドおよび掃除機本体の容器内の塵除去器具。
【発明の詳細な説明】
【技術分野】
【０００１】  本発明は、掃除機の塵除去器具に関し、ヘッドの回転ブラシと内部フィルターの塵埃、や綿屑、糸屑などを除去する機能を具備した掃除機の塵除去器具に関するものである。
【背景技術】
【０００２】  近年の掃除機（クリーナー）は、ヘッドに回転ブラシを装着して、ブラシを回転させてさまざまな床に存在する微細な塵、屑を確実に取り除くものが主流になっている。
また、強力な吸塵力を持ったサイクロン式が主流となっている。【０００３】  しかしながら、ヘッドの回転ブラシに絡んだ綿屑、髪の毛など糸状の塵が取りにくい問題がある。さらに、サイクロン式は、掃除機の機種によってはサイクロン室のフィルターの目に微細な粉塵が詰まり、またサイクロン室の中央にある円筒部内の奥深い位置に粉塵が堆積するなど吸塵力を低下させる現象が発生する場合がある。【０００４】  従来は、掃除機のヘッドの回転ブラシに絡んだ糸屑、髪の毛を引っ張り出す専用ピンと絡みついた糸屑、髪の毛をカットするカッタを設けたクリーナーヘッド専用の塵除去器具が市販されていることが知られている。
【発明の概要】
【発明が解決しようとする課題】
【０００５】  そこで、本開発は、簡単に且つ素早く回転ブラシに絡んだゴミを掻きとりするとともに、サイクロン室内のフィルターの目詰まりおよび中央にある円筒部内の奥深い位置にある粉塵も掃除できる手動の掃除機の塵除去器具を提案することを目的とするものである。
【課題を解決するための手段】
【０００６】  複数の掻き取り爪を有した爪部を備えたホルダーと、
該ホルダーは該爪部と概ね対抗位置に取手を具備した掃除機の塵除去器具において、
該ホルダーに固定された少なくとも２本以上の爪と、
該取手の端部に回転支点を持ち、回動可能なアームと、
該アームの該回転支点と反対端面に取り付けられた少なくとも１本以上の爪と、
該アームは、折り畳まれて該ホルダーに収納され、
該アーム端に設けられた爪部と該ホルダーに固定された爪部とは並列して配置された構造であることを特徴とした掃除機の塵除去器具ある。
【発明の効果】
【０００７】  本発明によれば、該ホルダーに固定された少なくとも２本以上の爪と、
該取手の端部に回転支点を持ち、回動可能なアームと、
該アームの該回転支点と反対端面に取り付けられた少なくとも１本以上の爪と、
該アームは、折り畳まれて該ホルダーに収納され、
該アーム端に設けられた爪部と該ホルダーに固定された爪部とは並列して配置された構造の掃除機の塵除去器具とすることで、
アームをホルダーに収納した状態で、アームに具備した爪とホルダーに固定した爪との協働で掃除機のヘッドの回転ブラシに絡んだ塵を取り除くことができる。また、サイクロン室内の塵は、アームを回転させて本体から引出した腕を長くしてサイクロン室内のフィルターの目詰まりおよび中央にある円筒部内の奥深い位置にある粉塵も容易に掃除が可能である。【０００８】  本発明は、掃除機のヘッドを掃除する塵除去器具にサイクロン室のフィルターも清掃できる機構を追加し、２つの機能を持つ１台二役の掃除機の塵除去器具を提供することができる。【０００９】  さらに、サイクロン室内のフィルター掃除器具部は、先端に爪を設けた長いアームを折り畳み構造とし、ホルダー内に収納することで、コンパクトな掃除機の塵除去器具を提供することができる。
【図面の簡単な説明】
【００１０】
【図１】本発明を実施するための一形態における塵除去器具の斜視図である。
【図２】図１における本発明のアームを伸ばした状態を示す斜視図である。
【図３】本発明の別の実施形態における塵除去器具の斜視図である。
【図４】図３における本発明のアームを伸ばした状態を示す斜視図である。
【図５】本発明における塵を掻き取る爪の形状を示す平面図である。
【図６】掃除機のヘッドでの本発明の塵除去器具の使用説明図である。
【図７】サイクロン式掃除機のサイクロン室の説明図である。
【図８】サイクロン室内のフィルター孔での本発明の塵除去器具の使用説明図である。
【図９】サイクロン室内の円筒内部での本発明の塵除去器具の使用説明図である。
【発明を実施するための形態】
【００１１】  以下、図面を参照して本発明の実施の形態について説明する。
【００１２】  図１に示すように、本発明に係る掃除機の塵除去器具は、ホルダー１０に塵を掻き取る爪部２０を設け、爪部２０とは該ホルダー１０の対抗面に設けた取手１２と、該取手１２の先端部に回転支点軸１３を持つアーム１４と、該アーム１４の他端に設けた２本の可動爪２２から成る。そして、該爪部２０の左右端に設けたそれぞれ２本の固定爪２１はホルダー１０に固定され、さらに可動爪２２は、該爪部２０の中央部に収納され、該固定爪２１と可動爪２２は並列に設けられている。
【００１３】  図２は、図１に示す本発明の実施形態において、アーム１４を上方（矢印方向）に回転させ、アームをホルダーから引き出し最大に伸ばした状態で、固定爪２１とはホルダー１０に対して反対方向に伸びている状態を示している。
【００１４】  図３は、本発明の別の実施形態を示すものである。ホルダー１０に塵を掻き取る爪部２０を設け、爪部２０とは該ホルダー１０の対抗面に設けた取手１２と、該取手１２の先端部に回転支点軸１３を持つアーム１４と、該アーム１４の他端に設けた２本の可動爪２２から成る。そして、該爪部２０にある片側に４本の固定爪２１はホルダー１０に固定され、さらに、可動爪２２は該爪部２０の固定爪２１の横隣に収納され、該固定爪２１と可動爪２２は並列に設けられている。
【００１５】  図４は、図３に示す本発明の実施形態において、アーム１４を横方（矢印方向）に回転させアーム１４をホルダー１０から引き出し最大に伸ばした状態を示している。固定爪２１とはホルダー１０に対して反対方向に伸びている状態を示している。
【００１６】  図５は、本発明の掻き取り爪の形状の実施形態を示すものである。ホルダー１０またはアーム１４に固定される腕部３１、掻き取り部３２からなる。掻き取り部３２の先端部３３は、Ｒ０．３〜０．８ｍｍ程度、厚みは０．５〜１．５ｍｍ程度が望ましい。
【００１７】  次に、以上のように構成された形態についての使用の一例を、図６〜図９に基づいて説明する。
【００１８】  図６は掃除機のヘッド４０に設けられた回転ブラシ５１のイメージを示したものである。回転ブラシ５１の半径方向に塵除去器具１の爪部２０で回転ブラシ５１に絡んだ糸屑、髪の毛、綿屑などを掻き取る。
【００１９】  図７はサイクロン式掃除機のサイクロン室６０のイメージを示したものである。サイクロン室６０は、サイクロン室６０の上部には吸引部、下部には透明な樹脂カバー６１を備えた塵を遠心分離するダストカップで構成されている。吸引口６３から吸引された空気はサイクロン内のフィルター６２を通って矢印の方向から排出される。吸引口から空気といっしょに吸い込まれた微細な塵、綿屑、髪の毛などは、サイクロン室内の中央にある蜂の巣状の小径の吸い込み孔から成るフィルター６２をもった円筒部６５ａでゴミが遠心分離される。
【００２０】  これによって、小径孔を通過する細かい粉塵は円筒部６５ａの内部６５ｂに堆積する。さらに、小径孔にも付着して目詰まりを発生させる。
【００２１】  本発明の塵除去器具１のアーム１４を回転させアーム１４をホルダー１０から引き出し最大に伸ばしてアーム先端に設けた可動爪２２で、底蓋６４を開いて図８（樹脂カバーおよび底蓋は表示せず）に示すようにサイクロン室内の円筒部６５ａ上にある蜂の巣状の小径の吸い込み孔のフィルター６２に詰まった微細な粉塵を排除する。
【００２２】  さらに、図９（樹脂カバーおよび底蓋は表示せず）に示すように、円筒部６５ａの内部６５ｂに堆積した粉塵を、本発明の塵除去器具１のアーム１４を上方に回転させアーム１４をホルダー１０から引き出し最大に伸ばしてアーム先端に設けた可動爪２２で、粉塵を掻き出して清掃する。
【００２３】  以上の説明の通り、本発明の掃除機の塵除去器具は、掃除機のヘッドの回転ブラシに絡んだ糸屑、髪の毛、埃を容易に掻き取り除去が可能で、さらに掃除機のサイクロン室内の狭い筒状穴の奥深い場所の微細な粉塵の堆積や蜂の巣状の小径の孔の目詰まりを容易に除去することができる。
【００２４】  なお、本発明の一実施例に付き説明したが、本発明は既述の実施例に限定されるものではなく、本発明の技術的思想に基づいて、各種の変形及び変更が可能であることは当然である。
【符号の説明】
【００２５】      １  本発明の一実施形態
１０  ホルダー
１２  取手
１３  支点軸
１４  アーム
２０  爪部
２１  固定爪
２２  可動爪
３１  腕部
３２  掻き取り部
３３  掻き取り先端部
４０  掃除機のヘッド
５１  回転ブラシ
６０  サイクロン室
６１  透明カバー
６２  フィルター（蜂の巣状の吸気孔）
６３  吸引口
６４  底蓋
６５ａ  中央円筒部
６５ｂ  円筒部の内部空間
【図１】
2018051276.tif 000003
【図２】
2018051276.tif 000004
【図３】
2018051276.tif 000005
【図４】
2018051276.tif 000006
【図５】
2018051276.tif 000007
【図６】
2018051276.tif 000008
【図７】
2018051276.tif 000009
【図８】
2018051276.tif 000010
【図９】
2018051276.tif 000011